(57)【要約】【課題】不必要なアダプティブアレイ処理が行なわれ、その結果、無駄な電力が消費されるのを防止することのできる無線受信装置、当該無線受信装置のアダプティブアレイ処理制御方法、および当該無線受信装置のアダプティブアレイ処理制御プログラムを提供する。【解決手段】無線受信装置内の主制御部５は、所定の条件にしたがって、アダプティブアレイ受信モードか、単一系統受信モードかを選択して、アダプティブアレイ受信モードを選択したときには、複数の無線受信部およびアダプティブアレイ演算処理部６を動作させる第１の制御を行ない、単一系統受信モードを選択したときには、１つの無線受信部を第１無線受信部として選択して、第１無線受信部を動作させ、アダプティブアレイ演算処理部６および第１無線受信部以外の無線受信部を停止させる第２の制御を行なう。【選択図】        図１
2004297281.tif 000002
【特許請求の範囲】
【請求項１】
複数のアンテナと、
各アンテナに対応して設けられ、各アンテナで受信した信号の増幅および周波数変換処理を行なうＲＦ受信部と、
複数のＲＦ受信部から出力された信号にアダプティブアレイ演算処理を施すアダプティブアレイ演算処理部と、
所定の条件にしたがって、アダプティブアレイ処理を実行する第１のモードか、アダプティブアレイ処理を実行しない第２のモードかを選択して、
前記第１のモードを選択したときには、前記複数のＲＦ受信部および前記アダプティブアレイ演算処理部を動作させる第１の制御を行ない、
前記第２のモードを選択したときには、１つのＲＦ受信部を第１ＲＦ受信部として選択し、当該第１ＲＦ受信部を動作させ、前記第１ＲＦ受信部以外のＲＦ受信部および前記アダプティブアレイ演算処理部を停止させる第２の制御を行なう制御部とを備えた無線受信装置。
【請求項２】
前記各ＲＦ受信部は、さらに、対応するアンテナで受信した受信信号のレベルを検出し、当該検出した受信信号のレベルを前記制御部に出力し、
前記制御部は、受取った前記検出した受信信号のレベルのうち、最大のレベルと最小のレベルとの差が所定値以下のときに、前記第１のモードを選択し、最大のレベルと最小のレベルとの差が前記所定値よりも大きいときに、前記第２のモードを選択する、請求項１記載の無線受信装置。
【請求項３】
前記各ＲＦ受信部は、さらに、対応するアンテナで受信した受信信号のレベルを検出し、当該検出した受信信号のレベルを前記制御部に出力し、
前記制御部は、受取った前記検出した受信信号のレベルのうち、すべての受信信号のレベルが所定値未満のときに、前記第１のモードを選択し、少なくとも１つの受信信号のレベルが前記所定値以上のときに、前記第２のモードを選択する、請求項１記載の無線受信装置。
【請求項４】
前記無線受信装置は、さらに、
前記第１のモードが選択されているときに、前記アダプティブアレイ演算処理部で処理された信号を復調する復調部と、
前記復調された信号に基づいて、通信品質量を算出する通信品質量算出手段とを備え、
前記制御部は、前記第１のモードが選択されているときに、前記通信品質量が所定の品質以下を示す場合には、前記第１のモードを選択し、前記通信品質量が所定の品質を越えることを示す場合には、前記第２のモードを選択する、請求項１記載の無線受信装置。
【請求項５】
前記無線受信装置は、さらに、
前記第２のモードが選択されているときに、前記第１のＲＦ受信部で処理された信号であって、前記アダプティブアレイ演算処理部で処理されていない信号を復調する復調部と、
前記復調された信号に基づいて、通信品質量を算出する通信品質量算出手段とを備え、
前記制御部は、前記第２のモードが選択されているときに、前記通信品質量が所定の品質以下を示す場合には、前記第１のモードを選択し、前記通信品質量が所定の品質を越えることを示す場合には、前記第２のモードを選択する、請求項１記載の無線受信装置。
【請求項６】
前記無線受信装置は、さらに、
ユーザ操作によって、前記第１のモードまたは前記第２のモードの選択が入力される入力部を備え、
前記制御部は、前記入力部に前記第１のモードの選択が入力されたときには、前記第１のモードを選択し、前記入力部に前記第２のモードの選択が入力されたときには、前記第２のモードを選択する、請求項１記載の無線受信装置。
【請求項７】
前記各ＲＦ受信部は、さらに、対応するアンテナで受信した受信信号のレベルを検出し、当該受信信号のレベルを前記制御部に出力し、
前記制御部は、前記第２のモードが選択されたときに、受取った前記受信信号のレベルのうち、最大のレベルを出力したＲＦ受信部を第１ＲＦ受信部として選択する、請求項１記載の無線受信装置。
【請求項８】
前記制御部は、前記第２のモードが選択されたときに、予め定められているＲＦ受信部を第１ＲＦ受信部として選択する、請求項１記載の無線受信装置。
【請求項９】
複数のアンテナと、各アンテナに対応して設けられ、各アンテナで受信した信号の増幅および周波数変換処理を行なうＲＦ受信部と、複数のＲＦ受信部から出力された信号にアダプティブアレイ演算処理を施すアダプティブアレイ演算処理部とを備えた無線受信装置におけるアダプティブアレイ処理制御方法であって、
所定の条件にしたがって、アダプティブアレイ処理を実行する第１のモードか、アダプティブアレイ処理を実行しない第２のモードかを選択する選択ステップと、
前記第１のモードを選択したときには、前記複数のＲＦ受信部および前記アダプティブアレイ演算処理部を動作させる第１の制御を行ない、前記第２のモードを選択したときには、１つのＲＦ受信部を第１ＲＦ受信部として選択し、当該第１ＲＦ受信部を動作させ、前記第１ＲＦ受信部以外のＲＦ受信部および前記アダプティブアレイ演算処理部を停止させる第２の制御を行なう制御ステップとを含むアダプティブアレイ処理制御方法。
【請求項１０】
前記アダプティブアレイ処理制御方法は、さらに、
対応するアンテナで受信した受信信号のレベルを検出するステップを含み、
前記選択ステップは、前記検出された受信信号のレベルのうち、最大のレベルと最小のレベルとの差が所定値以下のときに、前記第１のモードを選択し、最大のレベルと最小のレベルとの差が前記所定値よりも大きいときに、前記第２のモードを選択する、請求項９記載のアダプティブアレイ処理制御方法。
【請求項１１】
前記アダプティブアレイ処理制御方法は、さらに、
対応するアンテナで受信した受信信号のレベルを検出するステップを含み、
前記選択ステップは、前記検出された受信信号のレベルのうち、すべての受信信号のレベルが所定値未満のときに、前記第１のモードを選択し、少なくとも１つの受信信号のレベルが前記所定値以上のときに、前記第２のモードを選択する、請求項９記載のアダプティブアレイ処理制御方法。
【請求項１２】
前記アダプティブアレイ処理制御方法は、さらに、
前記第１のモードが選択されているときに、前記アダプティブアレイ演算処理部で処理された信号を復調するステップと、
前記復調された信号に基づいて、通信品質量を算出するステップとを含み、
前記選択ステップは、前記第１のモードが選択されているときに、前記通信品質量が所定の品質以下を示す場合には、前記第１のモードを選択し、前記通信品質量が所定の品質を越えることを示す場合には、前記第２のモードを選択する、請求項９記載のアダプティブアレイ処理制御方法。
【請求項１３】
前記アダプティブアレイ処理制御方法は、さらに、
前記第２のモードが選択されているときに、前記第１のＲＦ受信部で処理された信号であって、前記アダプティブアレイ演算処理部で処理されていない信号を復調するステップと、
前記復調された信号に基づいて、通信品質量を算出するステップとを含み、
前記選択ステップは、前記第２のモードが選択されているときに、前記通信品質量が所定の品質以下を示す場合には、前記第１のモードを選択し、前記通信品質量が所定の品質を越えることを示す場合には、前記第２のモードを選択する、請求項９記載のアダプティブアレイ処理制御方法。
【請求項１４】
前記アダプティブアレイ処理制御方法は、さらに、
ユーザ操作によって、前記第１のモードまたは前記第２のモードの選択が入力されるステップを含み、
前記選択ステップは、前記第１のモードの選択が入力されたときには、前記第１のモードを選択し、前記第２のモードの選択が入力されたときには、前記第２のモードを選択する、請求項９記載のアダプティブアレイ処理制御方法。
【請求項１５】
前記アダプティブアレイ処理制御方法は、さらに、
対応するアンテナで受信した受信信号のレベルを検出するステップを含み、
前記制御ステップは、前記第２のモードが選択されたときに、前記検出した受信信号のレベルのうち、最大のレベルを出力したＲＦ受信部を第１ＲＦ受信部として選択する、請求項９記載のアダプティブアレイ処理制御方法。
【請求項１６】
前記制御ステップは、前記第２のモードが選択されたときに、予め定められているＲＦ受信部を第１ＲＦ受信部として選択する、請求項９記載のアダプティブアレイ処理制御方法。
【請求項１７】
複数のアンテナと、各アンテナに対応して設けられ、各アンテナで受信した信号の増幅および周波数変換処理を行なうＲＦ受信部と、複数のＲＦ受信部から出力された信号にアダプティブアレイ演算処理を施すアダプティブアレイ演算処理部とを備えた無線受信装置におけるアダプティブアレイ処理制御プログラムであって、コンピュータに、
所定の条件にしたがって、アダプティブアレイ処理を実行する第１のモードか、アダプティブアレイ処理を実行しない第２のモードかを選択する選択ステップと、
前記第１のモードを選択したときには、前記複数のＲＦ受信部および前記アダプティブアレイ演算処理部を動作させる第１の制御を行ない、前記第２のモードを選択したときには、１つのＲＦ受信部を第１ＲＦ受信部として選択し、当該第１ＲＦ受信部を動作させ、前記第１ＲＦ受信部以外のＲＦ受信部および前記アダプティブアレイ演算処理部を停止させる第２の制御を行なう制御ステップとを実行させるアダプティブアレイ処理制御プログラム。
【請求項１８】
前記ＲＦ受信部は、さらに、対応するアンテナで受信した受信信号のレベルを検出し、
前記選択ステップは、前記検出された受信信号のレベルのうち、最大のレベルと最小のレベルとの差が所定値以下のときに、前記第１のモードを選択し、最大のレベルと最小のレベルとの差が前記所定値よりも大きいときに、前記第２のモードを選択する、請求項１７記載のアダプティブアレイ処理制御プログラム。
【請求項１９】
前記ＲＦ受信部は、さらに、対応するアンテナで受信した受信信号のレベルを検出し、
前記選択ステップは、前記検出された受信信号のレベルのうち、すべての受信信号のレベルが所定値未満のときに、前記第１のモードを選択し、少なくとも１つの受信信号のレベルが前記所定値以上のときに、前記第２のモードを選択する、請求項１７記載のアダプティブアレイ処理制御プログラム。
【請求項２０】
前記アダプティブアレイ処理制御プログラムは、さらに、コンピュータに、
前記第１のモードが選択されているときに、前記アダプティブアレイ演算処理部で処理された信号を復調するステップと、
前記復調された信号に基づいて、通信品質量を算出するステップとを実行させ、
前記選択ステップは、前記第１のモードが選択されているときに、前記通信品質量が所定の品質以下を示す場合には、前記第１のモードを選択し、前記通信品質量が所定の品質を越えることを示す場合には、前記第２のモードを選択する、請求項１７記載のアダプティブアレイ処理制御プログラム。
【請求項２１】
前記アダプティブアレイ処理制御プログラムは、さらに、コンピュータに、
前記第２のモードが選択されているときに、前記第１のＲＦ受信部で処理された信号であって、前記アダプティブアレイ演算処理部で処理されていない信号を復調するステップと、
前記復調された信号に基づいて、通信品質量を算出するステップとを実行させ、
前記選択ステップは、前記第２のモードが選択されているときに、前記通信品質量が所定の品質以下を示す場合には、前記第１のモードを選択し、前記通信品質量が所定の品質を越えることを示す場合には、前記第２のモードを選択する、請求項１７記載のアダプティブアレイ処理制御プログラム。
【請求項２２】
前記アダプティブアレイ処理制御プログラムは、さらに、ユーザ操作によって、前記第１のモードまたは前記第２のモードの選択が入力されるステップを実行させ、
前記選択ステップは、前記第１のモードの選択が入力されたときには、前記第１のモードを選択し、前記第２のモードの選択が入力されたときには、前記第２のモードを選択する、請求項１７記載のアダプティブアレイ処理制御プログラム。
【請求項２３】
前記ＲＦ受信部は、さらに、対応するアンテナで受信した受信信号のレベルを検出し、
前記制御ステップは、前記第２のモードが選択されたときに、前記検出した受信信号のレベルのうち、最大のレベルを出力したＲＦ受信部を第１ＲＦ受信部として選択する、請求項１７記載のアダプティブアレイ処理制御プログラム。
【請求項２４】
前記制御ステップは、前記第２のモードが選択されたときに、予め定められているＲＦ受信部を第１ＲＦ受信部として選択する、請求項１７記載のアダプティブアレイ処理制御プログラム。
【発明の詳細な説明】
【０００１】
【発明の属する技術分野】
この発明は、無線受信装置、当該無線受信装置のアダプティブアレイ処理制御方法、および当該無線受信装置のアダプティブアレイ処理制御プログラムに関し、より特定的には、複数のアンテナからの信号をアダプティブアレイ処理する機能を備えた無線受信装置、当該無線受信装置のアダプティブアレイ処理制御方法、および当該無線受信装置のアダプティブアレイ処理制御プログラムに関する。
【０００２】
【従来の技術】
近年、急速に発達しつつある移動体通信システム（たとえば、Ｐｅｒｓｏｎａｌ  Ｈａｎｄｙｐｈｏｎｅ  Ｓｙｓｔｅｍ：以下、ＰＨＳ）では、基地局と移動端末装置との間の通信に際し、基地局側、または移動端末装置側の無線受信装置において、アダプティブアレイ処理により所望の受信信号を抽出する方式が提案されている。
【０００３】
アダプティブアレイ処理とは、送信局からの受信信号に基づいて、受信局のアンテナごとの受信係数（ウェイト）からなるウェイトベクトルを計算して適応制御することによって、所望の送信局からの信号を正確に抽出する処理である。
【０００４】
受信局の無線受信システムにおいては、受信信号のシンボルごとにこのようなウェイトを計算するウェイト計算機が設けられ、このウェイト計算機は、通常は、受信信号と算出されたウェイトとの複素乗算和と、既知の参照信号との誤差の２乗を減少させるようウェイトを更新させる処理を実行する。
【０００５】
アダプティブアレイ処理では、このようなウェイトの更新（ウェイト学習）を、時間や信号電波の伝搬路特性の変動に応じて適応的に行ない、受信信号中から干渉成分やノイズを除去し、所望の送信局からの受信信号を抽出している。
【０００６】
このようなＭＭＳＥによるアダプティブアレイの処理技術、およびＭＭＳＥによるＲＬＳアルゴリズムとＬＭＳアルゴリズムは周知の技術であり、たとえば非特許文献１に詳細に説明されている。
【０００７】
以上のように、アダプティブアレイ処理機能を備えた無線受信装置では、受信信号中から干渉成分やノイズを取り除いた所望の信号を得ることができる。
【０００８】
【非特許文献１】
菊間信良著「アレーアンテナによる適応信号処理」（科学技術出版）、１９９８年１１月２５日、ｐ．３５−４９
【０００９】
【発明が解決しようとする課題】
しかしながら、アダプティブアレイ処理機能を備えた無線受信装置では、受信信号中に干渉成分やノイズが少なくアダプティブアレイ処理を行なわなくても所望の信号を得ることができる場合や、アダプティブアレイ処理を行ったとしても受信信号中の干渉成分やノイズを取り除くことができない場合のように、アダプティブアレイ処理が不必要な場合でも、常にアダプティブアレイ処理を行なう。
【００１０】
その一方、アダプティブアレイ処理では、複数のアンテナで受信した複数の信号に対して、数多くの演算処理が行なわれるので、消費される電力は大きい。消費電力が大きくなると、特に、バッテリで動作する移動端末装置側の無線受信装置では、待ち受け時間や連続通信時間が短くなるという問題が生じる。
【００１１】
それゆえに、この発明の目的は、不必要なアダプティブアレイ処理が行なわれ、その結果、無駄な電力が消費されるのを防止することのできる無線受信装置、当該無線受信装置のアダプティブアレイ処理制御方法、および当該無線受信装置のアダプティブアレイ処理制御プログラムを提供することである。
【００１２】
【課題を解決するための手段】
上記課題を解決するために、本発明に係わる無線受信装置は、複数のアンテナと、各アンテナに対応して設けられ、各アンテナで受信した信号の増幅および周波数変換処理を行なうＲＦ受信部と、複数のＲＦ受信部から出力された信号にアダプティブアレイ演算処理を施すアダプティブアレイ演算処理部と、所定の条件にしたがって、アダプティブアレイ処理を実行する第１のモードか、アダプティブアレイ処理を実行しない第２のモードかを選択して、第１のモードを選択したときには、複数のＲＦ受信部およびアダプティブアレイ演算処理部を動作させる第１の制御を行ない、第２のモードを選択したときには、１つのＲＦ受信部を第１ＲＦ受信部として選択し、当該第１ＲＦ受信部を動作させ、第１ＲＦ受信部以外のＲＦ受信部およびアダプティブアレイ演算処理部を停止させる第２の制御を行なう制御部とを備える。
【００１３】
好ましくは、各ＲＦ受信部は、さらに、対応するアンテナで受信した受信信号のレベルを検出し、当該検出した受信信号のレベルを制御部に出力し、制御部は、受取った検出した受信信号のレベルのうち、最大のレベルと最小のレベルとの差が所定値以下のときに、第１のモードを選択し、最大のレベルと最小のレベルとの差が所定値よりも大きいときに、第２のモードを選択する。
【００１４】
好ましくは、各ＲＦ受信部は、さらに、対応するアンテナで受信した受信信号のレベルを検出し、当該検出した受信信号のレベルを制御部に出力し、制御部は、受取った検出した受信信号のレベルのうち、すべての受信信号のレベルが所定値未満のときに、第１のモードを選択し、少なくとも１つの受信信号のレベルが所定値以上のときに、第２のモードを選択する。
【００１５】
好ましくは、無線受信装置は、さらに、第１のモードが選択されているときに、アダプティブアレイ演算処理部で処理された信号を復調する復調部と、復調された信号に基づいて、通信品質量を算出する通信品質量算出手段とを備え、制御部は、第１のモードが選択されているときに、通信品質量が所定の品質以下を示す場合には、第１のモードを選択し、通信品質量が所定の品質を越えることを示す場合には、第２のモードを選択する。
【００１６】
好ましくは、無線受信装置は、さらに、第２のモードが選択されているときに、第１のＲＦ受信部で処理された信号であって、アダプティブアレイ演算処理部で処理されていない信号を復調する復調部と、復調された信号に基づいて、通信品質量を算出する通信品質量算出手段とを備え、制御部は、第２のモードが選択されているときに、通信品質量が所定の品質以下を示す場合には、第１のモードを選択し、通信品質量が所定の品質を越えることを示す場合には、第２のモードを選択する。
【００１７】
好ましくは、無線受信装置は、さらに、ユーザ操作によって、第１のモードまたは第２のモードの選択が入力される入力部を備え、制御部は、入力部に第１のモードの選択が入力されたときには、第１のモードを選択し、入力部に第２のモードの選択が入力されたときには、第２のモードを選択する。
【００１８】
好ましくは、各ＲＦ受信部は、さらに、対応するアンテナで受信した受信信号のレベルを検出し、当該受信信号のレベルを制御部に出力し、制御部は、第２のモードが選択されたときに、受取った受信信号のレベルのうち、最大のレベルを出力したＲＦ受信部を第１ＲＦ受信部として選択する。
【００１９】
好ましくは、制御部は、第２のモードが選択されたときに、予め定められているＲＦ受信部を第１ＲＦ受信部として選択する。
【００２０】
また、本発明に係わるアダプティブアレイ処理制御方法は、複数のアンテナと、各アンテナに対応して設けられ、各アンテナで受信した信号の増幅および周波数変換処理を行なうＲＦ受信部と、複数のＲＦ受信部から出力された信号にアダプティブアレイ演算処理を施すアダプティブアレイ演算処理部とを備えた無線受信装置におけるアダプティブアレイ処理制御方法であって、所定の条件にしたがって、アダプティブアレイ処理を実行する第１のモードか、アダプティブアレイ処理を実行しない第２のモードかを選択する選択ステップと、第１のモードを選択したときには、複数のＲＦ受信部およびアダプティブアレイ演算処理部を動作させる第１の制御を行ない、第２のモードを選択したときには、１つのＲＦ受信部を第１ＲＦ受信部として選択し、当該第１ＲＦ受信部を動作させ、第１ＲＦ受信部以外のＲＦ受信部およびアダプティブアレイ演算処理部を停止させる第２の制御を行なう制御ステップとを含む。
【００２１】
好ましくは、アダプティブアレイ処理制御方法は、さらに、対応するアンテナで受信した受信信号のレベルを検出するステップを含み、選択ステップは、検出された受信信号のレベルのうち、最大のレベルと最小のレベルとの差が所定値以下のときに、第１のモードを選択し、最大のレベルと最小のレベルとの差が所定値よりも大きいときに、第２のモードを選択する。
【００２２】
好ましくは、アダプティブアレイ処理制御方法は、さらに、対応するアンテナで受信した受信信号のレベルを検出するステップを含み、選択ステップは、検出された受信信号のレベルのうち、すべての受信信号のレベルが所定値未満のときに、第１のモードを選択し、少なくとも１つの受信信号のレベルが所定値以上のときに、第２のモードを選択する。
【００２３】
好ましくは、アダプティブアレイ処理制御方法は、さらに、第１のモードが選択されているときに、アダプティブアレイ演算処理部で処理された信号を復調するステップと、復調された信号に基づいて、通信品質量を算出するステップとを含み、選択ステップは、第１のモードが選択されているときに、通信品質量が所定の品質以下を示す場合には、第１のモードを選択し、通信品質量が所定の品質を越えることを示す場合には、第２のモードを選択する。
【００２４】
好ましくは、アダプティブアレイ処理制御方法は、さらに、第２のモードが選択されているときに、第１のＲＦ受信部で処理された信号であって、アダプティブアレイ演算処理部で処理されていない信号を復調するステップと、復調された信号に基づいて、通信品質量を算出するステップとを含み、選択ステップは、第２のモードが選択されているときに、通信品質量が所定の品質以下を示す場合には、第１のモードを選択し、通信品質量が所定の品質を越えることを示す場合には、第２のモードを選択する。
【００２５】
好ましくは、アダプティブアレイ処理制御方法は、さらに、ユーザ操作によって、第１のモードまたは第２のモードの選択が入力されるステップを含み、選択ステップは、第１のモードの選択が入力されたときには、第１のモードを選択し、第２のモードの選択が入力されたときには、第２のモードを選択する。
【００２６】
好ましくは、アダプティブアレイ処理制御方法は、さらに、対応するアンテナで受信した受信信号のレベルを検出するステップを含み、制御ステップは、第２のモードが選択されたときに、検出した受信信号のレベルのうち、最大のレベルを出力したＲＦ受信部を第１ＲＦ受信部として選択する。
【００２７】
好ましくは、制御ステップは、第２のモードが選択されたときに、予め定められているＲＦ受信部を第１ＲＦ受信部として選択する。
【００２８】
また、本発明に係わるアダプティブアレイ処理制御プログラムは、複数のアンテナと、各アンテナに対応して設けられ、各アンテナで受信した信号の増幅および周波数変換処理を行なうＲＦ受信部と、複数のＲＦ受信部から出力された信号にアダプティブアレイ演算処理を施すアダプティブアレイ演算処理部とを備えた無線受信装置におけるアダプティブアレイ処理制御プログラムであって、コンピュータに、所定の条件にしたがって、アダプティブアレイ処理を実行する第１のモードか、アダプティブアレイ処理を実行しない第２のモードかを選択する選択ステップと、第１のモードを選択したときには、複数のＲＦ受信部およびアダプティブアレイ演算処理部を動作させる第１の制御を行ない、第２のモードを選択したときには、１つのＲＦ受信部を第１ＲＦ受信部として選択し、当該第１ＲＦ受信部を動作させ、第１ＲＦ受信部以外のＲＦ受信部およびアダプティブアレイ演算処理部を停止させる第２の制御を行なう制御ステップとを実行させる。
【００２９】
好ましくは、ＲＦ受信部は、さらに、対応するアンテナで受信した受信信号のレベルを検出し、選択ステップは、検出された受信信号のレベルのうち、最大のレベルと最小のレベルとの差が所定値以下のときに、第１のモードを選択し、最大のレベルと最小のレベルとの差が所定値よりも大きいときに、第２のモードを選択する。
【００３０】
好ましくは、ＲＦ受信部は、さらに、対応するアンテナで受信した受信信号のレベルを検出し、選択ステップは、検出された受信信号のレベルのうち、すべての受信信号のレベルが所定値未満のときに、第１のモードを選択し、少なくとも１つの受信信号のレベルが所定値以上のときに、第２のモードを選択する。
【００３１】
好ましくは、アダプティブアレイ処理制御プログラムは、さらに、コンピュータに、第１のモードが選択されているときに、アダプティブアレイ演算処理部で処理された信号を復調するステップと、復調された信号に基づいて、通信品質量を算出するステップとを実行させ、選択ステップは、第１のモードが選択されているときに、通信品質量が所定の品質以下を示す場合には、第１のモードを選択し、通信品質量が所定の品質を越えることを示す場合には、第２のモードを選択する。
【００３２】
好ましくは、アダプティブアレイ処理制御プログラムは、さらに、コンピュータに、第２のモードが選択されているときに、第１のＲＦ受信部で処理された信号であって、アダプティブアレイ演算処理部で処理されていない信号を復調するステップと、復調された信号に基づいて、通信品質量を算出するステップとを実行させ、選択ステップは、第２のモードが選択されているときに、通信品質量が所定の品質以下を示す場合には、第１のモードを選択し、通信品質量が所定の品質を越えることを示す場合には、第２のモードを選択する。
【００３３】
好ましくは、アダプティブアレイ処理制御プログラムは、さらに、ユーザ操作によって、第１のモードまたは第２のモードの選択が入力されるステップを実行させ、選択ステップは、第１のモードの選択が入力されたときには、第１のモードを選択し、第２のモードの選択が入力されたときには、第２のモードを選択する。
【００３４】
好ましくは、ＲＦ受信部は、さらに、対応するアンテナで受信した受信信号のレベルを検出し、制御ステップは、第２のモードが選択されたときに、検出した受信信号のレベルのうち、最大のレベルを出力したＲＦ受信部を第１ＲＦ受信部として選択する。
【００３５】
好ましくは、制御ステップは、第２のモードが選択されたときに、予め定められているＲＦ受信部を第１ＲＦ受信部として選択する。
【００３６】
【発明の実施の形態】
以下、この発明の実施の形態を図面を参照して詳しく説明する。
【００３７】
［第１の実施形態］
図１は、この発明の第１の実施形態に係わる無線受信端末の構成を示す機能ブロック図である。図１を参照して、この無線受信端末は、アンテナ１，２と、ＲＦ（Ｒａｄｉｏ  Ｆｒｅｑｕｅｎｃｙ）受信回路１０，２０と、信号処理部３と、復調部４と、主制御部５と、ユーザ入力部１２を備える。
【００３８】
図示しない基地局からの下り無線信号は、アンテナ１，２でそれぞれ受信され、無線周波数のＲＦ信号として、対応するＲＦ受信回路１０，２０に与えられる。
【００３９】
ＲＦ受信回路１０は、アンテナ１で受信したＲＦ信号に対し、増幅、周波数変換などの所定のアナログ処理を施し、生成された信号Ｘ１（ｔ）を信号処理部３に与える。
【００４０】
ＲＦ受信回路１０は、図示しないＲＳＳＩ検出部を含み、ＲＳＳＩ検出部は、アンテナ１で受信したＲＦ信号の電界強度（Ｒｅｃｅｉｖｅｄ  Ｓｉｇｎａｌ  Ｓｔｒｅｎｇｔｈ  Ｉｎｄｉｃａｔｏｒ：ＲＳＳＩ）を検出し、受信レベルＲ１として出力する。
【００４１】
ＲＦ受信回路２０は、アンテナ２で受信したＲＦ信号に対し、増幅、周波数変換などの所定のアナログ処理を施し、生成された信号Ｘ２（ｔ）を信号処理部３に与える。
【００４２】
ＲＦ受信回路２０は、図示しないＲＳＳＩ検出部を含み、ＲＳＳＩ検出部は、アンテナ２で受信したＲＦ信号の電界強度（Ｒｅｃｅｉｖｅｄ  Ｓｉｇｎａｌ  Ｓｔｒｅｎｇｔｈ  Ｉｎｄｉｃａｔｏｒ：ＲＳＳＩ）を検出し、受信レベルＲ２として出力する。
【００４３】
信号処理部３は、アダプティブアレイ演算処理部６を含む。
図２は、アダプティブアレイ演算処理部６の機能ブロック図を示す。
【００４４】
図２を参照して、ＲＦ受信回路１０，２０でそれぞれ増幅されたアンテナ１、２の受信信号は、図示しないＡ／Ｄ変換機でそれぞれデジタル信号に変換される。
【００４５】
これらのデジタル信号は、無線受信システムのＤＳＰに与えられ、図２に示す機能ブロック図にしたがって以後ソフトウェア的にアダプティブアレイ処理が施される。
【００４６】
アダプティブアレイ処理とは、受信信号に基づいて、アンテナごとの受信係数（ウェイト）からなるウェイトベクトルを計算して適応制御することによって、所望の移動端末装置からの信号を正確に抽出する処理である。
【００４７】
図２に戻って、受信信号ベクトルＸ（ｔ）（＝Ｘ１（ｔ）、Ｘ２（ｔ））は、乗算器２５，２６のそれぞれの一方入力に与えられるとともに、ウェイト計算機３０に与えられる。
【００４８】
ウェイト計算機３０は、後述するアルゴリズムによりアンテナごとのウェイトからなるウェイトベクトルＷ（ｔ）を算出し、乗算器２５，２６のそれぞれの他方入力に与えて、対応するアンテナからの受信信号ベクトルＸ（ｔ）とそれぞれ複素乗算する。
【００４９】
加算器２９によりその乗算結果の総和Ｙ（ｔ）が得られ、このＹ（ｔ）は以下のように複素乗算和として表わされる：
Ｙ（ｔ）＝Ｗ（ｔ）ＨＸ（ｔ）
ここで、Ｗ（ｔ）ＨはウェイトベクトルＷ（ｔ）の複素共役の転置を表わしている。
【００５０】
上述のような複素乗算和の結果Ｙ（ｔ）は、ウェイト計算機３０に与えられ、メモリ３１に予め記憶されている既知の参照信号ｄ（ｔ）との誤差が求められる。この参照信号ｄ（ｔ）は、すべての受信信号に共通の既知の信号であり、たとえばＰＨＳでは、受信信号のうち、既知のビット列で構成されたプリアンブル区間が用いられる。
【００５１】
ウェイト計算機３０は、ウェイト計算制御装置３３の制御下に、算出された誤差の２乗を減少させるようウェイト係数を更新させる処理を実行する。アダプティブアレイ処理では、このようなウェイトベクトルの更新（ウェイト学習）を、時間や信号電波の伝搬路特性の変動に応じて適応的に行ない、受信信号Ｘ（ｔ）中から干渉成分を除去し、所望の移動端末装置からの信号Ｙ（ｔ）を抽出している。
【００５２】
このようなＭＭＳＥによるアダプティブアレイの処理技術、およびＭＭＳＥによるＲＬＳアルゴリズムやＬＭＳアルゴリズムは前述のように周知の技術であり、その説明は、省略する。
【００５３】
再び、図１を参照して、復調部４は、主制御部５の制御下に、信号処理部３で処理された受信信号に対し復調処理を施し、復調されたビットを出力する。
【００５４】
ユーザ入力部１２は、ユーザから、選択ダイバーシチ受信モード、または固定アンテナ受信モードの選択を入力する。ユーザ入力部１２は、固定アンテナ受信モードが入力されたときには、さらに、固定アンテナの番号の入力も受け付ける。
【００５５】
主制御部５は、ダイバーシチ／固定モード保持部８、およびアレイ／単一モード保持部１１を備える。
【００５６】
アレイ／単一モード保持部１１は、アダプティブアレイ受信モード、または単一系統受信モードを保持する。
【００５７】
ダイバーシチ／固定モード保持部８は、選択ダイバーシチ受信モード、固定アンテナ受信モードを保持する。ダイバーシチ／固定モード保持部８は、固定アンテナ受信モードを保持するときには、固定アンテナの番号を保持する。
【００５８】
主制御部５は、ユーザ入力部１２からの入力にしたがって、モード（選択ダイバーシチ受信モード、または固定アンテナ受信モード）と、モードが固定アンテナ受信モードのときには、固定アンテナの番号とをダイバーシチ／固定モード保持部８に書込む。
【００５９】
主制御部５は、ＲＦ受信回路１０からアンテナ１の受信レベルＲ１を取得し、ＲＦ受信回路２０からアンテナ２の受信レベルＲ２を取得する。主制御部５は、アンテナ１の受信レベルＲ１とアンテナ２の受信レベルＲ２の差ｄ（＝｜Ｒ２−Ｒ１｜を算出する。
【００６０】
主制御部５は、差ｄが所定値Ｒｅｆ１以下のときには、アダプティブアレイ受信モードを選択し、アレイ／単一モード保持部１１内のモードをアダプティブアレイ受信モードに設定し、差ｄが所定値Ｒｅｆ１を越えるときには、単一系統受信モードを選択し、アレイ／単一モード保持部１１内のモードを単一系統受信モードに設定する。このような選択を行なうのは、あるアンテナで受信した信号の受信レベルと、別のアンテナで受信した信号の受信レベルの差が大きいときには、アダプティブアレイ処理を行なったとしても、受信信号中の干渉成分を取り除くことができないと考えられるからである。
【００６１】
主制御部５は、アダプティブアレイ受信モードを選択したときには、アダプティブアレイ演算処理部６を動作させ、選択部９にアダプティブアレイ演算処理部６の出力を選択させる。
【００６２】
主制御部５は、単一系統受信モードを選択したときには、アダプティブアレイ演算処理部６を停止させるとともに、ダイバーシチ／固定モード保持部８内のモードに応じて、次の処理を行なわせる。主制御部５は、ダイバーシチ／固定モード保持部８内のモードがアンテナ固定受信モードに設定されているときには、ダイバーシチ／固定モード保持部８に保持されている固定アンテナ番号に対応するアンテナ以外のＲＦ受信回路を停止させ、固定アンテナ番号に対応するアンテナのＲＦ受信回路の出力を選択部９に選択させる。主制御部５は、ダイバーシチ／固定モード保持部８内のモードが選択ダイバーシチ受信モードに設定されているときには、受信レベルが低い方のＲＦ受信回路を停止させ、受信レベルが高い方のＲＦ受信回路の出力を選択部９に選択させる。
【００６３】
（動作）
次に、第１の実施形態に係わる無線受信端末の主制御部５の動作について説明する。図３は、第１の実施形態に係わる無線受信端末のＤＳＰがソフトウェア的に実行する主制御部５のアダプティブアレイ処理制御の動作手順を示すフローチャートである。ＤＳＰは、図３に示すフロー図の各ステップを備えるプログラムを図示しないメモリから読み出して実行する。このプログラムは、外部からインストールすることができる。
【００６４】
まず、主制御部５は、ＲＦ受信回路１０からアンテナ１の受信レベルＲ１を取得し、ＲＦ受信回路２０からアンテナ２の受信レベルＲ２を取得する（ステップＳ６１）。
【００６５】
主制御部５は、アンテナ１の受信レベルＲ１とアンテナ２の受信レベルＲ２の差ｄ（＝｜Ｒ２−Ｒ１｜）を算出する（ステップＳ６２）。
【００６６】
主制御部５は、差ｄが所定値Ｒｅｆ１以下のときには、アダプティブアレイ受信モードを選択し、アレイ／単一モード保持部１１内のモードをアダプティブアレイ受信モードに設定し、アダプティブアレイ演算処理部６を動作させ、選択部９にアダプティブアレイ演算処理部６の出力を選択させる（ステップＳ６３、Ｓ６４）。
【００６７】
主制御部５は、差ｄが所定値Ｒｅｆ１を越えるときには、単一系統受信モードを選択し、アレイ／単一モード保持部１１のモードを単一系統受信モードに設定し、アダプティブアレイ演算処理部６を停止させる（ステップＳ６３、Ｓ６５）。
【００６８】
主制御部５は、ダイバーシチ／固定モード保持部８内のモードがアンテナ固定受信モードに設定されているときには、ダイバーシチ／固定モード保持部８に保持されている固定アンテナ番号に対応するアンテナ以外のＲＦ受信回路を停止させ、固定アンテナ番号に対応するアンテナのＲＦ受信回路の出力を選択部９に選択させる（ステップＳ６６、Ｓ６７）。
【００６９】
主制御部５は、ダイバーシチ／固定モード保持部８内のモードが選択ダイバーシチ受信モードに設定されているときには、受信レベルが低い方のＲＦ受信回路を停止させ、受信レベルが高い方のＲＦ受信回路の出力を選択部９に選択させる（ステップＳ６６、Ｓ６８）。
【００７０】
以上のように、本実施の形態に係わる無線受信端末では、主制御部５は、アンテナ１の受信レベルＲ１とアンテナ２の受信レベルＲ２の差ｄが所定値Ｒｅｆ１以下のときには、アダプティブアレイ受信モードを選択し、差ｄが所定値Ｒｅｆ１を越えるときには、単一系統受信モードを選択する。主制御部５は、単一系統受信モードを選択したときには、アダプティブアレイ演算処理部６を停止させるので、不必要なアダプティブアレイ演算処理が行なわれ、その結果、無駄な電力が消費されるのを防止することができる。
【００７１】
主制御部５は、単一系統受信モードを選択したときに、ダイバーシチ／固定モード保持部８内のモードが選択ダイバーシチ受信モードに設定されているときには、受信レベルが低い方のＲＦ受信回路を停止させるので、不必要な無線受信処理（増幅および周波数変換処理）が行なわれ、その結果、無駄な電力が消費されるのを防止することができる。
【００７２】
また、主制御部５は、単一系統受信モードを選択したときに、ダイバーシチ／固定モード保持部８内のモードがアンテナ固定受信モードに設定されているときには、固定アンテナ番号に対応するアンテナ以外のＲＦ受信回路を停止させるので、不必要な無線受信処理（増幅および周波数変換処理）、およびダイバーシチ選択処理（受信レベルの比較処理）が行なわれ、その結果、無駄な電力が消費されるのを防止することができる。
【００７３】
以上のように、本実施の形態に係わる無線受信端末によれば、不必要なアダプティブアレイ処理が行なわれ、その結果、無駄な電力が消費されるのを防止することができる。
【００７４】
［第２の実施形態］
図４は、この発明の第２の実施形態に係わる無線受信端末の構成を示す機能ブロック図である。図に示す機能ブロック図は、以下の点を除いて、図１に示した第１の実施形態による機能ブロック図と同じであり、共通する部分については、説明を繰返さない。
【００７５】
すなわち、図４の機能ブロック図では、図１の主制御部５に代えて主制御部１５が設けられている。
【００７６】
主制御部１５は、アダプティブアレイ受信モードまたは単一系統受信モードを選択するための判断条件が主制御部５と相違する。
【００７７】
主制御部１５は、アンテナ１および２の受信レベルＲ１，Ｒ２が、いずれも所定値Ｒｅｆ２未満のときには、アダプティブアレイ受信モードを選択し、いずれかの受信レベルが所定値Ｒｅｆ２以上のときには、単一系統受信モードを選択する。このような選択を行なうのは、あるアンテナで受信した信号の受信レベルが大きいときには、その受信信号中に干渉成分やノイズが少ないので、アダプティブアレイ処理を行なわなくても、そのアンテナの受信信号が所望の信号である可能性が高いと考えられるからである。
【００７８】
（動作）
次に、第２の実施形態に係わる無線受信端末の動作について説明する。図５は、第２の実施形態に係わる無線受信端末のＤＳＰがソフトウェア的に実行するアダプティブアレイ処理制御の動作手順を示すフローチャートである。ＤＳＰは、図５に示すフロー図の各ステップを備えるプログラムを図示しないメモリから読み出して実行する。このプログラムは、外部からインストールすることができる。
【００７９】
まず、主制御部１５は、ＲＦ受信回路１０からアンテナ１の受信レベルＲ１を取得し、ＲＦ受信回路２０からンテナ２の受信レベルＲ２を取得する（ステップＳ７１）。
【００８０】
主制御部１５は、アンテナ１および２の受信レベルＲ１，Ｒ２が、いずれも所定値Ｒｅｆ２未満のときには、アダプティブアレイ受信モードを選択し、アレイ／単一モード保持部１１内のモードをアダプティブアレイ受信モードに設定し、アダプティブアレイ演算処理部６を動作させ、選択部９にアダプティブアレイ演算処理部６の出力を選択させる（ステップＳ７２、Ｓ７３）。
【００８１】
主制御部１５は、いずれかの受信レベルが所定値Ｒｅｆ２以上のときには、単一系統受信モードを選択し、アレイ／単一モード保持部１１のモードを単一系統受信モードに設定し、アダプティブアレイ演算処理部６を停止させる（ステップＳ７２、Ｓ７４）。
【００８２】
主制御部１５は、ダイバーシチ／固定モード保持部８内のモードがアンテナ固定受信モードに設定されているときには、ダイバーシチ／固定モード保持部８に保持されている固定アンテナ番号に対応するアンテナ以外のＲＦ受信回路を停止させ、固定アンテナ番号に対応するアンテナのＲＦ受信回路の出力を選択部９に選択させる（ステップＳ７５、Ｓ７６）。
【００８３】
主制御部１５は、ダイバーシチ／固定モード保持部８内のモードが選択ダイバーシチ受信モードに設定されているときには、受信レベルが低い方のＲＦ受信回路を停止させ、受信レベルが高い方のＲＦ受信回路の出力を選択部９に選択させる（ステップＳ７５、Ｓ７７）。
【００８４】
以上のように、本実施の形態に係わる無線受信端末では、主制御部１５は、アンテナ１および２の受信レベルＲ１，Ｒ２が、いずれも所定値Ｒｅｆ２未満のときには、アダプティブアレイ受信モードを選択し、いずれかの受信レベルが所定値Ｒｅｆ２以上のときには、単一系統受信モードを選択する。主制御部１５は、単一系統受信モードを選択したときには、アダプティブアレイ演算処理部６を停止させるので、不必要なアダプティブアレイ演算処理が行なわれ、その結果、無駄な電力が消費されるのを防止することができる。
【００８５】
主制御部１５は、単一系統受信モードを選択したときに、ダイバーシチ／固定モード保持部８内のモードが選択ダイバーシチ受信モードに設定されているときには、受信レベルが低い方のＲＦ受信回路を停止させるので、不必要な無線受信処理（増幅および周波数変換処理）が行なわれ、その結果、無駄な電力が消費されるのを防止することができる。
【００８６】
また、主制御部１５は、単一系統受信モードを選択したときに、ダイバーシチ／固定モード保持部８内のモードがアンテナ固定受信モードに設定されているときには、固定アンテナ番号に対応するアンテナ以外のＲＦ受信回路を停止させるので、不必要な無線受信処理（増幅および周波数変換処理）、およびダイバーシチ選択処理（受信レベルの比較処理）が行なわれ、その結果、無駄な電力が消費されるのを防止することができる。
【００８７】
以上のように、本実施の形態に係わる無線受信端末によれば、不必要なアダプティブアレイ処理が行なわれ、その結果、無駄な電力が消費されるのを防止することができる。
【００８８】
［第３の実施形態］
図６は、この発明の第３の実施形態に係わる無線受信端末の構成を示す機能ブロック図である。図６に示す機能ブロック図は、以下の点を除いて、図１に示した第１の実施形態による機能ブロック図と同じであり、共通する部分については、説明を繰返さない。
【００８９】
すなわち、図６の機能ブロック図では、図１の主制御部５に代えて主制御部２５が設けられ、ＦＥＲ（Ｆｒａｍｅ  Ｅｒｒｏｒ  Ｒａｔｅ）算出部１８が追加されている。
【００９０】
ＦＥＲ算出部１８は、復調部４で復調された受信信号のフレーム内のエラー数をカウントした後、フレーム誤り率ＦＥＲを算出し、通信品質を評価する通信品質量の要素の１つとして、主制御部２５に出力する。
【００９１】
主制御部２５は、アダプティブアレイ受信モードまたは単一系統受信モードを選択するための判断条件が主制御部５と相違する。
【００９２】
主制御部２５は、フレーム誤り率ＦＥＲを取得し、このフレーム誤り率と、アレイ／単一モード保持部１１内に保持されている現在のモードにしたがって、アダプティブアレイ受信モードまたは単一系統受信モードを選択する。
【００９３】
主制御部２５は、アレイ／単一モード保持部１１内の現在のモードがアダプティブアレイ受信モードに設定されており、かつフレーム誤り率ＦＥＲが所定値Ｒｅｆ３１以上のとき、またはアレイ／単一モード保持部１１内の現在のモードが単一系統受信モードに設定されており、かつフレーム誤り率ＦＥＲが所定値Ｒｅｆ３２以上のときには、アダプティブアレイ受信モードを選択する。
【００９４】
また、主制御部２５は、アレイ／単一モード保持部１１内の現在のモードが単一系統受信モードに設定されており、かつフレーム誤り率ＦＥＲが所定値Ｒｅｆ３２未満のとき、または、アレイ／単一モード保持部１１内の現在のモードがアダプティブアレイ受信モードに設定されており、かつフレーム誤り率ＦＥＲが所定値Ｒｅｆ３１未満のときには、単一系統受信モードを選択する。
【００９５】
このような選択を行なうのは、フレーム誤り率ＦＥＲが小さいときには、その受信信号中に干渉成分やノイズが少なく、アダプティブアレイ処理を行なわなくても、そのアンテナの受信信号が所望の信号である可能性が高いと考えられるからである。
【００９６】
（動作）
次に、第３の実施形態に係わる無線受信端末の動作について説明する。図７は、第３の実施形態に係わる無線受信端末のＤＳＰがソフトウェア的に実行するアダプティブアレイ処理制御の動作手順を示すフローチャートである。ＤＳＰは、図７に示すフロー図の各ステップを備えるプログラムを図示しないメモリから読み出して実行する。このプログラムは、外部からインストールすることができる。
【００９７】
まず、主制御部２５は、フレーム誤り率ＦＥＲを取得する（ステップＳ８１）。
【００９８】
主制御部２５は、アレイ／単一モード保持部１１内の現在のモードがアダプティブアレイ受信モードに設定されており、かつフレーム誤り率ＦＥＲが所定値Ｒｅｆ３１以上のとき、またはアレイ／単一モード保持部１１内の現在のモードが単一系統受信モードに設定されており、かつフレーム誤り率ＦＥＲが所定値Ｒｅｆ３２以上のときには、アダプティブアレイ受信モードを選択し、アレイ／単一モード保持部１１内のモードをアダプティブアレイ受信モードに設定し、アダプティブアレイ演算処理部６を動作させ、選択部９にアダプティブアレイ演算処理部６の出力を選択させる（ステップＳ８２〜Ｓ８５）。
【００９９】
主制御部２５は、アレイ／単一モード保持部１１内の現在のモードが単一系統受信モードに設定されており、かつフレーム誤り率ＦＥＲが所定値Ｒｅｆ３２未満のとき、または、アレイ／単一モード保持部１１内の現在のモードがアダプティブアレイ受信モードに設定されており、かつフレーム誤り率ＦＥＲが所定値Ｒｅｆ３１未満のときには、単一系統受信モードを選択し、アレイ／単一モード保持部１１内のモードを単一系統受信モードに設定し、アダプティブアレイ演算処理部６を停止させる（ステップＳ８２〜Ｓ８４、Ｓ８６）。
【０１００】
主制御部２５は、ダイバーシチ／固定モード保持部８内のモードがアンテナ固定受信モードに設定されているときには、ダイバーシチ／固定モード保持部８に保持されている固定アンテナ番号に対応するアンテナ以外のＲＦ受信回路を停止させ、固定アンテナ番号に対応するアンテナのＲＦ受信回路の出力を選択部９に選択させる（ステップＳ８７、Ｓ８８）。
【０１０１】
主制御部２５は、ダイバーシチ／固定モード保持部８内のモードが選択ダイバーシチ受信モードに設定されているときには、受信レベルが低い方のＲＦ受信回路を停止させ、受信レベルが高い方のＲＦ受信回路の出力を選択部９に選択させる（ステップＳ８７、Ｓ８９）。
【０１０２】
以上のように、本実施の形態に係わる無線受信端末では、主制御部２５は、アレイ／単一モード保持部１１内の現在のモードがアダプティブアレイ受信モードに設定されており、かつフレーム誤り率ＦＥＲが所定値Ｒｅｆ３１以上のとき、またはアレイ／単一モード保持部１１内の現在のモードが単一系統受信モードに設定されており、かつフレーム誤り率ＦＥＲが所定値Ｒｅｆ３２以上のときには、アダプティブアレイ受信モードを選択する。また、主制御部２５は、アレイ／単一モード保持部１１内の現在のモードが単一系統受信モードに設定されており、かつフレーム誤り率ＦＥＲが所定値Ｒｅｆ３２未満のとき、または、アレイ／単一モード保持部１１内の現在のモードがアダプティブアレイ受信モードに設定されており、かつフレーム誤り率ＦＥＲが所定値Ｒｅｆ３１未満のときには、単一系統受信モードを選択する。
【０１０３】
主制御部２５は、単一系統受信モードを選択したときには、アダプティブアレイ演算処理部６を停止させるので、不必要なアダプティブアレイ演算処理が行なわれ、その結果、無駄な電力が消費されるのを防止することができる。
【０１０４】
主制御部２５は、単一系統受信モードを選択したときに、ダイバーシチ／固定モード保持部８内のモードが選択ダイバーシチ受信モードに設定されているときには、受信レベルが低い方のＲＦ受信回路を停止させるので、不必要な無線受信処理（増幅および周波数変換処理）が行なわれ、その結果、無駄な電力が消費されるのを防止することができる。
【０１０５】
また、主制御部２５は、単一系統受信モードを選択したときに、ダイバーシチ／固定モード保持部８内のモードがアンテナ固定受信モードに設定されているときには、固定アンテナ番号に対応するアンテナ以外のＲＦ受信回路を停止させるので、不必要な無線受信処理（増幅および周波数変換処理）、およびダイバーシチ選択処理（受信レベルの比較処理）が行なわれ、その結果、無駄な電力が消費されるのを防止することができる。
【０１０６】
以上のように、本実施の形態に係わる無線受信端末によれば、不必要なアダプティブアレイ処理が行なわれ、その結果、無駄な電力が消費されるのを防止することができる。
【０１０７】
［第４の実施形態］
図８は、この発明の第４の実施形態に係わる無線受信端末の構成を示す機能ブロック図である。図８に示す機能ブロック図は、以下の点を除いて、図１に示した第１の実施形態による機能ブロック図と同じであり、共通する部分については、説明を繰返さない。
【０１０８】
すなわち、図８の機能ブロック図では、図１の主制御部５に代えて主制御部３５が設けられ、ユーザ入力部１９が追加されている。
【０１０９】
ユーザ入力部１９は、ユーザから選択ダイバーシチ受信モードまたは固定アンテナ受信モードの選択の入力に加えて、さらに、ユーザから、アダプティブ受信モード、または単一系統受信モードの選択を入力する。
【０１１０】
主制御部３５は、アダプティブアレイ受信モードまたは単一系統受信モードを選択するための判断条件が主制御部５と相違する。
【０１１１】
主制御部３５は、ユーザ入力部１９を通じて、アダプティブ受信モードの選択が入力されたときには、アダプティブ受信モードを選択し、ユーザ入力部１９を通じて、固定アンテナ受信モードの選択が入力されたときには、固定アンテナ受信モードを選択する。このような選択を行なうのは、ユーザが固定アンテナ受信モードを選択するときには、その受信信号中に干渉成分やノイズが少なく、アダプティブアレイ処理を行なわなくてもよかったり、復調後の誤り訂正などが強化されていて、ユーザが受信信号中の干渉やノイズの影響をそれほど気にしていないと考えられるからである。
【０１１２】
（動作）
次に、第４の実施形態に係わる無線受信端末の動作について説明する。図９は、第４の実施形態に係わる無線受信端末のＤＳＰがソフトウェア的に実行するアダプティブアレイ処理制御の動作手順を示すフローチャートである。ＤＳＰは、図９に示すフロー図の各ステップを備えるプログラムを図示しないメモリから読み出して実行する。このプログラムは、外部からインストールすることができる。
【０１１３】
まず、主制御部３５は、ユーザ入力部１９から、アダプティブ受信モード、または単一系統受信モードの選択の入力を取得する（ステップＳ９１）。
【０１１４】
主制御部３５は、アダプティブ受信モードの選択が入力されたときには、アダプティブ受信モードを選択し、アレイ／単一モード保持部１１内のモードをアダプティブ受信モードに設定し、アダプティブアレイ演算処理部６を動作させ、選択部９にアダプティブアレイ演算処理部６の出力を選択させる（ステップＳ９２、Ｓ９３）。
【０１１５】
主制御部３５は、固定アンテナ受信モードの選択が入力されたときには、固定アンテナ受信モードを選択し、アレイ／単一モード保持部１１内のモードを固定受信モードに設定し、アダプティブアレイ演算処理部６を停止させる（ステップＳ９２、Ｓ９４）。
【０１１６】
主制御部３５は、ダイバーシチ／固定モード保持部８内のモードがアンテナ固定受信モードに設定されているときには、ダイバーシチ／固定モード保持部８に保持されている固定アンテナ番号に対応するアンテナ以外のＲＦ受信回路を停止させ、固定アンテナ番号に対応するアンテナのＲＦ受信回路の出力を選択部９に選択させる（ステップＳ９５、Ｓ９６）。
【０１１７】
主制御部３５は、ダイバーシチ／固定モード保持部８内のモードが選択ダイバーシチ受信モードに設定されているときには、受信レベルが低い方のＲＦ受信回路を停止させ、受信レベルが高い方のＲＦ受信回路の出力を選択部９に選択させる（ステップＳ９５、Ｓ９７）。
【０１１８】
以上のように、本実施の形態に係わる無線受信端末では、主制御部３５は、ユーザ入力部１９を通じて、アダプティブ受信モードの選択が入力されたときには、アダプティブ受信モードを選択し、ユーザ入力部１９を通じて、固定アンテナ受信モードの選択が入力されたときには、固定アンテナ受信モードを選択する。
【０１１９】
主制御部３５は、単一系統受信モードを選択したときには、アダプティブアレイ演算処理部６を停止させるので、不必要なアダプティブアレイ演算処理が行なわれ、その結果、無駄な電力が消費されるのを防止することができる。
【０１２０】
主制御部３５は、単一系統受信モードを選択したときに、ダイバーシチ／固定モード保持部８内のモードが選択ダイバーシチ受信モードに設定されているときには、受信レベルが低い方のＲＦ受信回路を停止させるので、不必要な無線受信処理（増幅および周波数変換処理）が行なわれ、その結果、無駄な電力が消費されるのを防止することができる。
【０１２１】
また、主制御部３５は、単一系統受信モードを選択したときに、ダイバーシチ／固定モード保持部８内のモードがアンテナ固定受信モードに設定されているときには、固定アンテナ番号に対応するアンテナ以外のＲＦ受信回路を停止させるので、不必要な無線受信処理（増幅および周波数変換処理）、およびダイバーシチ選択処理（受信レベルの比較処理）が行なわれ、その結果、無駄な電力が消費されるのを防止することができる。
【０１２２】
以上のように、本実施の形態に係わる無線受信端末によれば、不必要なアダプティブアレイ処理が行なわれ、その結果、無駄な電力が消費されるのを防止することができる。
【０１２３】
＜変形例＞
本発明は、上記の実施形態に限定されるものではなく、たとえば、以下の変形例も含まれる。
【０１２４】
（１）無線受信装置の例
本発明の実施形態では、無線受信装置の例として、無線受信端末について説明したが、これに限定するものではない。無線基地局側の受信装置であってもよい。
【０１２５】
（２）３本以上のアンテナ
本実施の形態では、２本のアンテナを有する無線受信装置について説明したが、無線受信装置が、３本以上のアンテナを有する場合でも、２本のアンテナの場合と同様のアダプティブアレイ制御を行なうことができる。
【０１２６】
すなわち、第１の実施形態では、最大の受信レベルと最小の受信レベルとの差が所定値以下のときに、アダプティブアレイ受信モードを選択し、最大の受信レベルと最小の受信レベルとの差が所定値を越えているときに、単一系統受信モードを選択するものにしてもよい。
【０１２７】
また、第２の実施形態では、少なくとも１つの受信レベルが所定値以下のときには、アダプティブアレイ受信モードを選択し、すべての受信レベルが所定値を越えているときに、単一系統受信モードを選択するものとしてもよい。
【０１２８】
（３）通信品質量
第３の実施形態において、通信の品質を示す通信品質量として、フレーム誤り率ＦＥＲを用いたが、これに限定するものではない。たとえば、ビット誤り率ＢＥＲを通信品質量として用いてもよい。
【０１２９】
（４）ＲＥＦ３１、ＲＥＦ３２
第３の実施形態においては、現在のモードがアダプティブアレイ受信モードに設定されているときに、単一系統受信モードに移行するのは、フレーム誤り率ＦＥＲが所定値Ｒｅｆ３１未満のときであり、現在のモードが単一系統受信モードに設定されているときに、アダプティブアレイ受信モードに移行するのは、フレーム誤り率ＦＥＲが所定値Ｒｅｆ３２以上のときである。この所定値Ｒｅｆ１と所定値Ｒｅｆ２は、任意の値に設定することができ、同一の値に設定してもよく、いずれかを他方より大きな値に設定してもよい。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３１】
【発明の効果】
以上のように、この発明によれば、所定の条件にしたがって、アダプティブアレイ処理を実行する第１のモードか、アダプティブアレイ処理を実行しない第２のモードかを選択して、第１のモードを選択したときには、複数のＲＦ受信部およびアダプティブアレイ演算処理部を動作させる第１の制御を行ない、第２のモードを選択したときには、１つのＲＦ受信部を第１ＲＦ受信部として選択し、第１ＲＦ受信部を動作させ、第１ＲＦ受信部以外のＲＦ受信部およびアダプティブアレイ演算処理部を停止させる第２の制御を行なうので、不必要なアダプティブアレイ処理が行なわれて、無駄な電力が消費されるのを防止することができる。
【図面の簡単な説明】
【図１】第１の実施形態に係わる無線受信端末の構成を示す機能ブロック図である。
【図２】アダプティブアレイ演算処理部６の機能ブロック図である。
【図３】第１の実施形態に係わる無線受信端末のＤＳＰがソフトウェア的に実行する主制御部５のアダプティブアレイ処理制御の動作手順を示すフローチャートである。
【図４】第２の実施形態に係わる無線受信端末の構成を示す機能ブロック図である。
【図５】第２の実施形態に係わる無線受信端末のＤＳＰがソフトウェア的に実行する主制御部１５のアダプティブアレイ処理制御の動作手順を示すフローチャートである。
【図６】第３の実施形態に係わる無線受信端末の構成を示す機能ブロック図である。
【図７】第３の実施形態に係わる無線受信端末のＤＳＰがソフトウェア的に実行する主制御部２５のアダプティブアレイ処理制御の動作手順を示すフローチャートである。
【図８】第４の実施形態に係わる無線受信端末の構成を示す機能ブロック図である。
【図９】第４の実施形態に係わる無線受信端末のＤＳＰがソフトウェア的に実行する主制御部３５のアダプティブアレイ処理制御の動作手順を示すフローチャートである。
【符号の説明】
１，２  アンテナ、３、信号処理部、４  復調部、５，１５，２５，３５  主制御部、６  アダプティブアレイ演算処理部、９  選択部、１０，２０  ＲＦ受信回路、１２，１９  ユーザ入力部、１８  ＦＥＲ算出部、２５，２６  乗算器、２９  加算器、３０  ウェイト計算機、３１  メモリ、３２  カウンタ、３３ウェイト計算制御装置。
【図１】
2004297281.tif 000003
【図２】
2004297281.tif 000004
【図３】
2004297281.tif 000005
【図４】
2004297281.tif 000006
【図５】
2004297281.tif 000007
【図６】
2004297281.tif 000008
【図７】
2004297281.tif 000009
【図８】
2004297281.tif 000010
【図９】
2004297281.tif 000011